(57)【要約】【課題】従来の代行システムに代わるものとして、返礼をする側の本人の意思及び返礼の品物が、返礼を受ける相手に対して確実に伝え届くものとでき、しかもこの相手にとって扱いが容易であり、また製作も容易であり製作コストの低廉化も図れるようにする。【解決手段】本人から相手へ向けた挨拶文を記載する挨拶面５ａと、この相手への宛名を記載する宛名面３ａと、この相手に見せるための商品掲示面４ａ，５ａと、この相手が希望商品を記入するための記入欄及びこの記入欄を商品発送元用へ通知するための宛先が記載された商品申込み面１０ｂと、この商品申込み面１０ｂの記入欄に記入された希望商品の発送先を記載するための商品送り先指示面１０ａとが一枚の本体用紙２に設けられた返礼用品１を使用する。【選択図】      図１
2004167880.tif 000002
【特許請求の範囲】
【請求項１】
本人から相手へ向けた挨拶文を記載する挨拶面（５ａ）と、この相手への宛名を記載する宛名面（３ａ）と、この相手に見せるための商品掲示面（４ｂ）（５ｂ）と、この相手が選んだ希望商品を商品発送元用へ通知するための宛先が記載された商品申込み面（１０ｂ）と、この希望商品の発送先を記載するための商品送り先指示面（１０ａ）とが一枚の本体用紙（２）に設けられていることを特徴とする返礼用品。
【請求項２】
前記商品申込み面（１０ｂ）と商品送り先指示面（１０ａ）とが本体用紙（２）内に配置された葉書大スペース（１０）で表裏に振り分けられ、この葉書大スペース（１０）のまま本体用紙（２）から切り離し可能とされていることを特徴とする請求項１記載の返礼用品。
【請求項３】
前記挨拶面（５ａ）と宛名面（３ａ）とが本体用紙（２）の同一面に配されていることを特徴とする請求項１又は請求項２記載の返礼用品。
【請求項４】
前記商品申込み面（１０ｂ）又は商品送り先指示面（１０ａ）には返礼を受ける相手が希望商品を記入するための記入欄が設けられ、この記入欄と商品掲示面（４ｂ）（５ｂ）とが本体用紙（２）としての同一面に並んで配されていることを特徴とする請求項１乃至請求項３のいずれかに記載の返礼用品。
【請求項５】
前記本体用紙（２）は、商品申込み面（１０ｂ）及び商品送り先指示面（１０ａ）を有する葉書大スペース（１０）が最も端位置となる状態でその側方へ帯状に延びる横長形状に形成され、この葉書大スペース（１０）を一単位として横長方向を折り畳み可能とされており、この葉書大スペース（１０）を除いた個々の折り面に対して挨拶面（５ａ）、宛名面（３ａ）、商品掲示面（４ｂ）（５ｂ）が振り分け配置されており、
この本体用紙（２）の折り畳み状態では宛名面（３ａ）が最も表に出て、且つ商品申込み面（１０ｂ）及び商品送り先指示面（１０ａ）を有する葉書大スペース（１０）が表に出ない状態とされ、更に宛名面（３ａ）を開いた最初に挨拶面（５ａ）が現れる配置とされていることを特徴とする請求項２乃至請求項４のいずれかに記載の返礼用品。
【請求項６】
本人が返礼の相手に挨拶文及び返礼の品物を送るに際してこの本人が請求項１乃至請求項５のいずれかに記載された返礼用品（１）を取次者又は商品発送元へ発注し、この取次者が挨拶面（５ａ）及び宛名面（３ａ）に必要事項を記載後に上記相手へ送り、この相手に対して少なくとも商品申込み面（１０ｂ）を商品発送元へ送らせる機会を与えることを特徴とする返礼用品の使用方法。
【発明の詳細な説明】
【０００１】
【発明の属する技術分野】
本発明は、返礼用品及びその使用方法に関するものである。
【０００２】
【従来の技術】
通夜、葬儀、告別式等への出席の折り、香典やお供え等を受けた相手に対して後日、返礼を行うに際しては、多くの場合、受けた金子類の額に応じた品物を挨拶状と一緒又は別送のかたちで相手方へ送るという慣習がある。
このような慣習は、結婚式や各種の祝賀パーティなどでも略同様なものがある。
昨今、相手方へ送る品物の額がある程度、高価になる場合などでは、直接に品物を送るのではなく、数種の商品が記載されたカタログを送ってこの中から相手が好きなものを選び、これを商品発送元へ申告してもらい、商品発送元から相手に品物が送られるという代行システムが成り立っている。
【０００３】
このような代行システムにおいて、返礼をする側の本人は、商品発送元又は取次者（葬儀社などの中間業者）に対して予め、相手の住所や金額、挨拶分の文型（挨拶のパターン）を伝え、またこれと前後して商品の代金を支払うことになり、これに対して商品発送元又は取次者は、本人側から相手へ向けた挨拶状と、商品カタログと、相手の住所及び氏名を印刷した返信用葉書（希望商品を申告してもらうための葉書）との３点セットを同封書簡としたうえで、本人の代行としてこの同封書簡を相手へ送るというシステムの流れになっている。
【０００４】
ところで、このような代行システムとは別に、ダイレクトメールなどとして利用することのできる申込書付きカタログ冊子は公知である（例えば、特許文献１参照）。
この公知の冊子は、カタログ紙片と申込書紙片とを有してこれらを折り畳み、接着剤で綴じ合わせたものとなっている。
ここにおいてカタログ紙片は二つあり、それぞれ断面コ字状に折り畳まれた状態で二重に重ね合わされている。また、更にその外側には、表紙を兼ねるようにしたことで帯状に横長形状に形成された申込書紙片を、申込書になる部分が内側に折りこまれる状態に巻き付けられ、これら三者が接着剤で張り合わされた構造となっている。
【０００５】
そして、この申込書紙片において表紙とされて外側に現れる部分のうち、一方面には、カタログの送付先（商品の購入申込者の住所及び氏名）が記載され、同、他方面には、取扱会社名（商品の申込み先の宛名）が記載されるようになっている。
また、この取扱会社名が記載された部分をめくったページ（申込書紙片とその内側のカタログ紙片とが接着剤で張り合わせている部分をめくったときの申込書紙片側のページ）に挨拶文が記載されていた。
【０００６】
結局、この公知の冊子は、カタログの送付先である顧客と取扱会社との間でやりとりされる書簡であることが判る。
【０００７】
【特許文献１】
特開平８−１８３２７２号公報
【０００８】
【発明が解決しようとする課題】
上記した従来の代行システムにおいて、返礼を受ける方の相手は、送られてきた同封書簡を開封し、その中から別々の書状である挨拶状と商品カタログと返信用葉書とを仕分けしつつそれらに順繰りに目を通し、全書状の内容を把握したうえで、改めて最後に商品カタログと返信用葉書とを見比べながら返信用葉書に必要事項を記入し、この返信用葉書をポストへ投函するといったことをしなければならない。
【０００９】
そのため、非常に面倒であり、中には返信用葉書の投函をせずに、結果、返礼の品物を受け取らないで済ませてしまう者が出るといった不具合もあった。
また、このような代行システムにおいて、商品発送元又は取次者は、挨拶状を製作するために、返礼をする側の本人の氏名及び住所、挨拶分の文型（挨拶のパターン）、返礼を受ける相手の氏名及び住所を個別に印刷しなければならず、しかもこれを返礼を受ける相手の人数分だけ行わなければならないといったことがある。
【００１０】
そのうえ、商品カタログや返信用葉書についても、返礼を受ける相手によって金額の異なる組み合わせが必要になるなど、煩雑でありながら間違いが起こらないように神経を要する、非常に手間のかかる作業となっていた。
このようなことからコスト高となり、返礼をする側の本人に対する経済的負担が大きくなるといった不具合があった。
一方、従来公知の冊子（特許文献１参照）は、上記したようにカタログの送付先である顧客と取扱会社との間でやりとりされるダイレクトメール的なものであるので、用途や使用目的及び使用方法において上記した従来の代行システムで用いるものとは異質であると言わざるを得ない。
【００１１】
またこの冊子は、断面コ字状に折り畳まれた二つのカタログ紙片やその外側の申込書紙片が、全体として三重にも四重にも重ね合わされた構造であるので、開封するときにどの面が先になるかは開封者自身の判断に委ねられることになる。そのため、この開封時において必ずしも挨拶文が最初に現れるという保証はなく、事情を知らない開封者の場合、とまどいを隠せないものとなることが推察される。
そのうえ、申込書紙片において、挨拶分が記載された面とカタログの送付先（商品の購入申込者の住所及び氏名）が記載された面とは表裏逆の位置関係となっており、印刷時に紙片を裏返しする手間が必要になるなど、印刷に要する時間や印刷コスト等に関しても、問題を山積したものであった。
【００１２】
本発明は、上記事情に鑑みてなされたものであって、従来の代行システムに代わるものとして、返礼をする側の本人の意思及び返礼の品物を、返礼を受ける相手に対して確実に伝え届かせることができるものとなり、しかもこの相手にとって扱いが容易であり、また製作も容易であり製作コストの低廉化も図れるようにした返礼用品及びその使用方法を提供することを目的とする。
【００１３】
【課題を解決するための手段】
前記目的を達成するため、本発明は次の手段を講じた。
即ち、本発明に係る返礼用品は、本人から相手へ向けた挨拶文を記載する挨拶面５ａと、この相手への宛名を記載する宛名面３ａと、この相手に見せるための商品掲示面４ｂ，５ｂと、この相手が選んだ希望商品を商品発送元用へ通知するための宛先が記載された商品申込み面１０ｂと、この希望商品の発送先を記載するための商品送り先指示面１０ａとが一枚の本体用紙２に設けられたものとなっている。
【００１４】
このように挨拶面５ａ、宛名面３ａ、商品掲示面４ｂ，５ｂ、商品申込み面１０ｂ、商品送り先指示面１０ａが、互いに一体の本体用紙２として設けられた構成であるため、製作が極めて容易であり、製作コストの低廉化が図れることになる。
ここにおいて、商品申込み面１０ｂと商品送り先指示面１０ａとは、本体用紙２内に配置された葉書大スペース１０で表裏に振り分けられたものとしておくのが好ましい。
【００１５】
このようにすることで、この葉書大スペース１０のまま本体用紙２から切り離しして、実際に葉書として使用できることになる。なお、この切り離しを予定して、ミシン目を入れておけば、切り離しも容易となり一層好適である。
一方、挨拶面５ａと宛名面３ａとは、本体用紙２の同一面に配されたものとするのが好ましい。
このようにすることで、この本体用紙２を製作するうえで、挨拶文や宛名といった個別情報を印刷する工程が簡略化でき、それだけ印刷に要する時間の短縮化や印刷コストの低廉化が図れるものである。
【００１６】
商品申込み面１０ｂ又は商品送り先指示面１０ａには、返礼を受ける相手が希望商品を記入するための記入欄を設けておくのが好適である。
この場合、この記入欄と商品掲示面４ｂ，５ｂとは、本体用紙２としての同一面に並んで配されているものとすることも推奨される。
このようにすることで、返礼を受ける相手は、商品掲示面４ｂ，５ｂを横目に見ながら商品申込み面１０ｂ又は商品送り先指示面１０ａの記入欄へ希望商品の書き込みを行うことができ、手軽となる。そのため、この動作を面倒がることがなくなり、返礼の品物を受け取らない（相手に対して返礼の品物が届かない）といった不具合を防止できることになる。
【００１７】
本体用紙２は、商品申込み面１０ｂ及び商品送り先指示面１０ａを有する葉書大スペース１０が最も端位置となる状態でその側方へ帯状に延びる横長形状に形成され、この葉書大スペース１０を一単位として横長方向を折り畳み可能とされたものとすればよい。
この場合、この葉書大スペース１０を除いた個々の折り面に対して挨拶面５ａ、宛名面３ａ、商品掲示面４ｂ，５ｂが振り分け配置されているものとすればよい。
【００１８】
また、この本体用紙２の折り畳み状態では、宛名面３ａが最も表に出て、且つ商品申込み面１０ｂ及び商品送り先指示面１０ａを有する葉書大スペース１０が表に出ない状態とされているのが好適である。
このように宛名を表に出すことで、この折り姿のままポストへ投函でき（郵送でき）、且つまた、商品申込み面１０ｂや商品送り先指示面１０ａが表に出ないために不正を防げることになる。
また、宛名面３ａを開いた最初に挨拶面５ａが現れる配置とされているのが好適である。
【００１９】
このようにすることで、返礼を受ける相手が開封の最初に挨拶面５ａを目にすることになり、この返礼用品を受け取ったことの主旨を素早く理解することができる。
本発明に係る返礼用品１の使用方法は、本人が返礼の相手に挨拶文及び返礼の品物を送るに際して、この本人が、本発明に係る返礼用品１を取次者へ発注し、この取次者又は商品発送元が挨拶面５ａ及び宛名面３ａに必要事項を記載後に上記相手へ送り、この相手に対して少なくとも商品申込み面１０ｂを商品発送元へ送らせる機会を与えるというものである。
【００２０】
このようなシステムは、本出願人において未だ見聞したことはなく、画期的である。
【００２１】
【発明の実施の形態】
以下、本発明の実施の形態を、図面に基づき説明する。
図１乃至図５は、本発明に係る返礼用品１の一実施形態を示している。
まず、この返礼用品１の使用上の流れ（使用方法）から先に説明しておくと、図６に示すように、返礼をしようとする側の本人が取次者（葬儀社などの中間業者）へ返礼の代行を依頼する（矢符ａ）。
そして、この取次者は、本人の氏名や住所、並びに返礼をする相手（この図６ではＡ，Ｂ，Ｃの三者とする）の氏名や住所を尋ねて、これらの情報を商品発送元（カタログ会社や商品の製造販売会社など）へ連絡する（矢符ｂ）。
【００２２】
商品発送元では、本発明に係る返礼用品１の素材（必要事項が印刷されてないシロモノ）に対し、本人側から提示された必要事項を印刷したうえで、この返礼用品１を各相手Ａ〜Ｃへ送付する（矢符ｃ）。
返礼用品１を受け取った相手Ａ〜Ｃは、この返礼用品１に記載された種々の商品の中から希望の商品を選び、それをこの返礼用品１中に付属された返信用葉書で商品発送元へ返信する（矢符ｄ）。
そこで商品発送元では、この返信内容に基づいて、各相手Ａ〜Ｃに対して希望商品を発送する（矢符ｅ）。
【００２３】
商品の代金や、返礼用品１を製作し発送するといった代金などは、別途、本人側から取次者へと支払われる、というものである。
このようにして用いられる本発明の返礼用品１は、図４や図５から明らかなように、帯状を呈した横長形状の本体用紙２を有している。
この用紙本体２は、紙、織布、不織布、これらに樹脂コーティングや樹脂ラッピングをしたもの、或いは樹脂シートなど、材質は特に限定されない。またその厚さや腰の強さなども、取扱上、支障が生じない範囲で適宜選択すればよいものである。
【００２４】
この本体用紙２は、第一紙片３、第二紙片４、第三紙片５、第四紙片６の計四枚の紙片が横長方向に並んで連結された一体のものである。
本実施形態において、個々の紙片３〜６における各幅（本体用紙２の横長方向に沿った一辺長さ）は、一般的な葉書の短辺に略等しい寸法とし、また各紙片３〜６の丈は葉書の長辺長さよりも長い寸法（おおよそ、一般的な封筒の長辺を基準としてその前後の長さ）とした。
この本体用紙２は、第一紙片３乃至第四紙片６をそれぞれ一単位として互いの隣接間に折り線が設けられており、この折り線で折り畳み可能になっている。
【００２５】
従って例えば、この本体用紙２は、図３に示すようにその横長方向を同じ方向へ繰り返し（巻紙のように）折り畳んでゆくことで、第一紙片３の片面及び第二紙片４の片面が最も外側に現れ、これらの内側に第三紙片５及び第四紙片６が包み隠された折り姿にすることができる。
接着剤を使用せず折り畳んだ状態で窓あき封筒に入れて送付することも可能である。
このような折り姿にしたとき、第一紙片３と第三紙片５とが重ね合わされるようになるが、これらの重合間を接着剤７で貼り付けておくことで、この折り姿を郵送途中の取扱等にも耐えさせて維持させることができる。なお、接着剤７の塗布位置は、図５に於ける第一紙片３、第二紙片４、第三紙片５の周辺が好ましい。
【００２６】
この接着剤７には、必要に応じて簡単且つ綺麗に剥離でき、また一度剥離した後は再び接着力を持たないような特性を有したものを用いるのが好適である。すなわち、これによって折り姿とされた状態からの開封の有無が歴然と判断できるものであり、不法行為の防止に繋がる。
この場合、接着剤７は、第一紙片３と第三紙片５とが対向する面の全面に塗布するようにしてもよいし、図３に示したように第一紙片３の端位置等に沿わせて線状又は点線状に塗布してもよい。
【００２７】
上記第一紙片３は、本体用紙２の折り姿において外向きとされる面（図１（Ａ）及び図４に示す方の面）が宛名面３ａとされ、またこの宛名面３ａの裏側となる面（図１（Ｂ）及び図５に示す方の面）がイメージ面３ｂとされている。
宛名面３ａには、切手の貼り付け位置や郵便番号記載枠欄が設けられ、返礼を受ける相手の宛名を記載できるようになっている。またこの宛名面３ａには、返礼をする側の本人（差出人）の氏名や返礼の主旨（図例では「満中陰志」の文字）が記載されている。
【００２８】
この相手の宛名をはじめ、本人の氏名、返礼の主旨等は、この本人からの依頼があってから、印刷することになる（場合によっては手書きでもよい）。
なお、この宛名面３ａは、上記したような折り姿にしたときに最も表に現れる面であり、且つ、接着剤７によって封緘された紙片（第一紙片３）に相当するものでもあるので、この宛名面３ａの隅角部には、開封位置を指示する文字（図例では「ここからお開けください」の文字）や手形マークが記載されている。
これに対し、イメージ面３ｂには、写真や絵画、イラストなどが記載されている。また押し花などを貼り付けたり香水などを染みこませたりしてもよいし、特に必要がなければ白紙状態のままとしてもよい。
【００２９】
第二紙片４は、第一紙片３の宛名面３ａに隣接する面、即ち、本体用紙２の折り姿において外向きとされる面（図２及び図４に示す方の面）が説明面４ａとされ、またこの説明面４ａの裏側となる面（図５に示す方の面）が第一の商品掲示面４ｂとされている。
説明面４ａには、返礼を受ける相手に対してこの返礼用品１をどう使用すればよいかの説明が記載されている。
また、商品掲示面４ｂには、複数種の商品が絵、写真、説明文などで説明されており、それぞれの商品に対してそれらを特定するための固有の番号や記号等が付されている。
【００３０】
第三紙片５は、第二紙片４の説明面４ａに隣接する面（図１（Ｂ）及び図４に示す方の面）が挨拶面５ａとされ、またこの挨拶面５ａの裏側となる面（図５に示す方の面）が第二の商品掲示面５ｂとされている。
挨拶面５ａには、返礼をする側の本人から返礼を受ける相手へ向けた挨拶文が記載されている。
この挨拶文は、当初から印刷されているものとしてもよいし、本人が数例の文型パターンから一つを選ぶか又は作文したものとして、これを依頼された後に印刷するものとしてもよい。
【００３１】
また、商品掲示面５ｂには、第二紙片４の商品掲示面４ｂに記載しきれなかった商品が絵、写真、説明文などで説明されており、それぞれの商品に対してそれらを特定するための固有の番号や記号等が付されている。
第四紙片６は、葉書大スペース１０を具備した返信葉書用の台紙とされている。
この葉書大スペース１０は、その周囲にミシン目を加工するか又は点線等で明記したキリトリ線が設けられている。すなわち、このキリトリ線に沿って葉書大スペース１０を第四紙片６（本体用紙２）から切り離すことにより、返信用葉書が形成されることになる。
【００３２】
この葉書大スペース１０には、その一方面（図４に示す方の面）に商品送り先指示面１０ａが記載され、他方面（図５に示す方の面）に商品申込み面１０ｂが記載されているといったふうに、これら二面が表裏に振り分けられている。
商品申込み面１０ｂには、返礼を受ける相手が、上記した商品掲示面４ｂ，５ｂの中から選んだ希望商品を記入するための記入欄と、この記入欄を商品発送元用へ通知するための宛先とが記載されている。
また商品送り先指示面１０ａには、商品申込み面１０ｂの記入欄に記載された希望商品の発送先を記載するための欄が記載されている。
【００３３】
この商品送り先指示面１０ａは、返礼をする側の本人からの依頼があってから、印刷することになるが（場合によっては手書きでもよい）、その記載内容は、第一紙片３の宛名面３ａに記載する内容と同じとしておけばよい。
しかしながら、相手によっては、現住所とは異なる場所（例えば職場等）への商品発送を希望する場合もあり得るので、上記発送先の記入欄とは別に、変更先等を記入できるようにしておくのが好適である。
このようにしておくと、仮に変更がない場合であれば、相手側にとって氏名や住所を記入する手間すら省けることになり、極めて手軽となる。
【００３４】
以上の説明から明らかなように、この返礼用品１は、本体用紙２に対し、挨拶面５ａ、宛名面３ａ、商品掲示面４ａ，５ａ、商品申込み面１０ｂ、商品送り先指示面１０ａが一体として設けられた構成となっている。
そして、返礼をする側の本人から依頼があるまで（即ち、商品発送元が在庫している間）は、宛名面３ａや商品送り先指示面１０ａへの必要事項は白紙とし、場合によっては挨拶面５ａも白紙としておけばよいものであり、本人からの依頼の後、これらを印刷すればよいことになる。
【００３５】
ここにおいて、図４に示すように、挨拶面５ａ、宛名面３ａ、商品送り先指示面１０ａは、本体用紙２において全て同一面に向いており、印刷工程は簡略されたものとなる。
従って、印刷に要する時間の短縮化や印刷コストの低廉化が図れるものである。
一方、返礼を受ける相手からすれば、まず、図１（Ｂ）に示すように、本体用紙２の折り畳み状態から第一紙片３を開封した最初に挨拶面５ａが現れるので、本人からの意思が即座に、且つ正確に伝わり、この返礼用品１を受け取ったことの主旨を素早く理解することができる。
【００３６】
また、その後、開封を続けると、最後に商品申込み面１０ｂや商品送り先指示面１０ａが現れるため、個人情報の流失等に関して疑心暗鬼になることも払拭され、安心できる要因となっている。
更に、商品掲示面４ｂ、５ｂと商品申込み面１０ｂとが同一面で並んでいるので、商品掲示面４ｂ、５ｂを横目に見ながら商品申込み面１０ｂへ希望商品の書き込みができるという、親切をつくしたつくりとなっている。
これらのことから、この相手にとって面倒や不安といった要因は全くないものであり、本人からの意思が正確に伝わって、返礼の品物を受け取らない（相手に対して返礼の品物が届かない）といった不具合は起こらない。
【００３７】
言うまでもなく、返礼をする側の本人からすれば、図６からも明らかなように、取次者に対して必要事項の依頼をし、その代金を支払えば済むものであり、これだけで、各相手Ａ〜Ｃに対して誠意のこもった意志の疎通と、各相手Ａ〜Ｃが真に希望する品物を贈呈できることの喜びとを享受できることになる。
ところで、本発明は、上記実施形態に限定されるものではない。
例えば、本体用紙２に対する各面の配置順や裏表の配置関係、各面の寸法関係などは適宜変更可能である。
【００３８】
【発明の効果】
以上説明したところから明らかなように、本発明に係る返礼用品及びその使用方法では、従来の代行システムに代わるものとして、返礼をする側の本人の意思及び返礼の品物が、返礼を受ける相手に対して確実に伝え届くものとでき、しかもこの相手にとって扱いが容易であり、また製作も容易であり製作コストの低廉化も図れるものである。
【図面の簡単な説明】
【図１】本発明に係る返礼用品の外観（Ａ）及び最初の開封状態（Ｂ）を示した斜視図である。
【図２】図１（Ａ）に対応する背面側からの斜視図である。
【図３】図１（Ａ）に対応する拡大平面図である。
【図４】返礼用品の本体用紙を展開した状態を示した斜視図である。
【図５】図４に対応する背面側からの斜視図である。
【図６】本発明に係る返礼用品の使用方法を説明した模式図である。
【符号の説明】
１    返礼用品
２    本体用紙
３ａ  宛名面
４ｂ  商品掲示面
５ａ  挨拶面
５ｂ  商品掲示面
１０    葉書大スペース
１０ａ  商品送り先指示面
１０ｂ  商品申込み面
【図１】
2004167880.tif 000003
【図２】
2004167880.tif 000004
【図３】
2004167880.tif 000005
【図４】
2004167880.tif 000006
【図５】
2004167880.tif 000007
【図６】
2004167880.tif 000008